【手続補正書】
【提出日】平成18年2月2日(2006.2.2)
【手続補正１】
【補正対象書類名】明細書
【補正対象項目名】特許請求の範囲
【補正方法】変更
【補正の内容】
【特許請求の範囲】
【請求項１】
複数の画素により構成された表示部と、
該表示部の制御を行う制御部を有する画像表示装置において、
デジタル表示データをアナログ画像信号に変換するＤＡ変換部を有し、
前記ＤＡ変換部は、それぞれが変換したアナログ画像信号を独立に前記表示部に出力可能な第１のＤＡ変換部と、第２のＤＡ変換部により構成され、
前記第１のＤＡ変換部の動作時の消費電力は、前記第２のＤＡ変換部の動作時の消費電力よりも小さく、
前記ＤＡ変換部は、前記制御部の命令に応じて前記第１のＤＡ変換部と前記第２のＤＡ変換部のどちらかを動作させて前記表示部に変換したアナログ画像信号を出力し、
前記表示部は、前記制御部の命令に応じて前記表示部の独立表示画素の数を変えて前記アナログ画像信号に応じて表示を行う画像表示装置。
【請求項２】
前記表示部には、該表示部の走査の制御を行うゲート線シフトレジスタが接続されており、
前記制御部は前記ゲート線シフトレジスタに命令を出力し、
該ゲート線シフトレジスタにより前記表示部の独立表示画素の数を変えて表示を行う請求項１の画像表示装置。
【請求項３】
前記制御部は、モード切り替え命令に応じて前記ＤＡ変換部及び前記ゲート線シフトレジスタに命令を行う請求項２の画像表示装置。
【請求項４】
前記モード切り替え命令は、前記第１のＤＡ変換部により変換処理を行わせる第１のモードと、前記第２のＤＡ変換部により変換処理を行わせる第２のモードであり、  
前記表示部は、複数のゲート線と、該複数のゲート線に交差するように配置した複数の信号線により、該複数のゲート線と信号線により囲まれた領域に対応して画素が構成されているものであり、  
前記ゲート線シフトレジスタは、前記第１のモードによる命令の場合に、前記複数のゲート線のうち少なくとも２本のゲート線を同じタイミングで制御し、
前記第１のＤＡ変換部は変換した１つのアナログ画像信号を少なくとも２本の信号線に出力する請求項３の画像表示装置。
【請求項５】
容量の異なる２つのメモリを有し、
該２つのメモリは、前記第１のＤＡ変換部及び前記第２のＤＡ変換部に、それぞれ対応している請求項１〜３のいずれかに記載の画像表示装置。
【請求項６】
前記表示部、前記ＤＡ変換部、前記ゲート線シフトレジスタ、及び前記２つのメモリのうちの容量の小さいメモリは同一の基板上に配置され、
該容量の小さいメモリは、poly−Ｓｉにより形成されている請求項５の画像表示装置。
【請求項７】
前記第１のＤＡ変換部には、前記容量の小さいメモリが対応しており、
前記第２のＤＡ変換部には、容量の大きいメモリが対応している請求項５または６の画像表示装置。
【請求項８】
前記第１のＤＡ変換部及び前記第２のＤＡ変換部は、それぞれbit数の異なる
アナログ画像信号に変換するものである請求項１〜７のいずれかに記載の画像表示装置。
【請求項９】
前記第１のＤＡ変換部及び前記第２のＤＡ変換部は、それぞれ最大駆動周波数が異なるアナログ画像信号に変換するものである請求項１〜７のいずれかに記載の画像表示装置。
【請求項１０】
前記第１のＤＡ変換部は、２値の信号階調のアナログ画像信号を出力する請求項１〜９のいずれかに記載の画像表示装置。
【請求項１１】
前記表示部に光を供給する照明手段を有し、  
該照明手段は、前記第２のモードの場合に、前記表示部に光を供給する請求項１〜１０のいずれかに記載の画像表示装置。
【請求項１２】
複数の画素により構成された表示部と、
該表示部の制御を行う制御部を有する画像表示装置において、
デジタル表示データをアナログ画像信号に変換するＤＡ変換部を有し、
前記ＤＡ変換部は、それぞれが変換したアナログ画像信号を独立に前記表示部に出力可能な第１のＤＡ変換部と、第２のＤＡ変換部により構成され、
前記第１のＤＡ変換部及び前記第２のＤＡ変換部は、それぞれbit数の異なる
アナログ画像信号に変換するものである画像表示装置。
【請求項１３】
前記制御部の命令に応じて、前記第１のＤＡ変換部、または前記第２のＤＡ変換部の一方により、デジタル表示データをアナログ画像信号に変換する請求項１２の画像表示装置。
【請求項１４】
前記制御部は、モード切り替え命令に応じて前記第１のＤＡ変換部または前記第２のＤＡ変換部のいずれかに命令を行う請求項１３の画像表示装置。
【請求項１５】
容量の異なる２つのメモリを有し、
該２つのメモリは、前記第１のＤＡ変換部及び前記第２のＤＡ変換部にそれぞれ対応している請求項１２〜１４のいずれかに記載の画像表示装置。
【請求項１６】
前記表示部、前記ＤＡ変換部、前記ゲート線シフトレジスタは同一の基板上に配置されており、
前記表示部は矩形で形成されており、
前記ＤＡ変換部の第１のＤＡ変換部と第２のＤＡ変換部は、前記表示部の上下に配置されている請求項１２〜１５のいずれかに記載の画像表示装置。
【請求項１７】
前記基板上には、前記２つのメモリのうちの容量の小さいメモリも配置されており、
該容量の小さいメモリは、poly−Ｓｉにより形成されている請求項１５の画像表示装置。
【請求項１８】
前記モード切り替え命令は、前記第１のＤＡ変換部により変換処理を行わせる第１のモードと、前記第２のＤＡ変換部により変換処理を行わせる第２のモードであり、
前記第１のＤＡ変換部は、前記容量の小さいメモリが対応しており、
前記第２のＤＡ変換部には、容量の大きいメモリが対応している請求項１５〜１７のいずれかに記載の画像表示装置。
【請求項１９】
前記表示部は、前記制御部の命令に応じて前記表示部の独立表示画素の数を変えて前記アナログ画像信号に応じて表示を行う請求項１３〜１８のいずれかに記載の画像表示装置。
【請求項２０】
前記第１のＤＡ変換部は、２値の信号階調のアナログ画像信号を出力する請求項１２〜１９のいずれかに記載の画像表示装置。
【請求項２１】
前記表示部に光を供給する照明手段を有し、
該照明手段は、前記第２のモードの場合に、前記表示部に光を供給する請求項１２〜２０のいずれかに記載の画像表示装置。
【請求項２２】
複数の画素により構成された表示部と、
該表示部の制御を行う制御部を有する画像表示装置において、
デジタル表示データをアナログ画像信号に変換するＤＡ変換部を有し、
前記ＤＡ変換部は、それぞれが変換したアナログ画像信号を独立に前記表示部に出力可能な第１のＤＡ変換部と、第２のＤＡ変換部により構成され、
前記第１のＤＡ変換部及び前記第２のＤＡ変換部は、それぞれフレーム周波数が異なるアナログ画像信号に変換するものである画像表示装置。
【請求項２３】
前記制御部の命令に応じて、前記第１のＤＡ変換部、または前記第２のＤＡ変換部の一方により、デジタル表示データをアナログ画像信号に変換する請求項
２２の画像表示装置。
【請求項２４】
前記制御部は、モード切り替え命令に応じて前記第１のＤＡ変換部または前記第２のＤＡ変換部のいずれかに命令を行う請求項２３の画像表示装置。 
【請求項２５】
前記第１のＤＡ変換部は、２値の信号階調のアナログ画像信号を出力する請求項２２〜２４のいずれかに記載の画像表示装置。
【請求項２６】
前記表示部に光を供給する照明手段を有し、
該照明手段は、前記第２のモードの場合に、前記表示部に光を供給する請求項２２〜２５のいずれかに記載の画像表示装置。